(57)【要約】【課題】データ伝送用の配線を布設する必要がなく、任意に増設したり配置を変更することができる温度検出機能を備えた温度検知用ＩＣタグと温度検知システムを提供する。【解決手段】温度監視場所１２の任意の箇所に任意の数だけ固定されるものであって、火災発生時の熱で溶断するアンテナ１４と、自他を区別できる識別情報１８を記録した記憶装置２０と、記憶装置２０に記憶された識別情報１８を含む応答信号２２を、監視装置２４から発信される問合せ信号２６を受信したタイミングで、もしくは所定のタイミングで、アンテナ１４を励振して、監視装置２４に対して発信する通信機２８とを備えている。各ＩＣタグ１０に他のＩＣタグ１０と区別できる情報を記録しておくと、取り付け場所毎に異なる識別情報１８の応答が得られる。【選択図】図１
2006004027.tif 000002
【特許請求の範囲】
【請求項１】
温度監視場所の任意の箇所に任意の数だけ取り付けられるものであって、
所定の温度で電波発射機能を喪失するアンテナと、
自他を区別できる識別情報を記録した記憶装置と、
前記記憶装置に記憶された前記識別情報を含む応答信号を、監視装置から発信される問合せ信号を受信したタイミングで、もしくは所定のタイミングで、前記アンテナを励振して、前記監視装置に対して発信する通信機とを備えたことを特徴とする温度検知用ＩＣタグ。
【請求項２】
温度監視場所の任意の箇所に任意の数だけ取り付けられるものであって、
アンテナと、
自他を区別できる識別情報を記録した記憶装置と、
前記記憶装置に記憶された前記識別情報を含む応答信号を、監視装置から発信される問合せ信号を受信したタイミングで、もしくは所定のタイミングで、前記アンテナを励振して、前記監視装置に対して発信する通信機と、
前記アンテナと前記通信機とを電気接続し、所定の温度で溶断するリード線とを備えたことを特徴とする温度検知用ＩＣタグ。
【請求項３】
温度監視場所の任意の箇所に任意の数だけ取り付けられるものであって、
アンテナと、
前記アンテナを支持し、所定の温度で溶解する裏打ちシートと、
前記裏打ちシートと共に前記温度監視場所に取り付けられるものであって、自他を区別できる識別情報を記録した記憶装置と、
前記記憶装置に記憶された前記識別情報を含む応答信号を、監視装置から発信される問合せ信号を受信したタイミングで、もしくは所定のタイミングで、前記アンテナを励振して、前記監視装置に対して発信する通信機とを備えたことを特徴とする温度検知用ＩＣタグ。
【請求項４】
温度監視場所の任意の箇所に任意の数だけ取り付けられるものであって、
アンテナと、
所定の温度で溶解する保護ケースと、
前記保護ケースに収容されるものであって、自他を区別できる識別情報を記録した記憶装置と、
前記記憶装置に記憶された前記識別情報を含む応答信号を、監視装置から発信される問合せ信号を受信したタイミングで、もしくは所定のタイミングで、前記アンテナを励振して、前記監視装置に対して発信する通信機とを備えたことを特徴とする温度検知用ＩＣタグ。
【請求項５】
請求項１又は２に記載の温度検知用ＩＣタグにおいて、
前記アンテナ又はリード線の材料は、低融点金属であることを特徴とする温度検知用ＩＣタグ。
【請求項６】
請求項３又は４に記載の温度検知用ＩＣタグにおいて、
前記裏打ちシート又は前記保護ケースの材料は、熱可塑性樹脂であって、酢酸セルロース、ポリエチレン（ＬＤＰＥ）、ポリエチレン（ＨＤＰＥ）、ポリエチレン（超高分子量）、ポリプロピレン、硬質ポリ塩化ビニル、ナイロン６、ポリアセタール、ポリカーボネート、ポリピロメリットイミド、ポリテトラフルオロエチレン、フェノール樹脂（ノボラック）、不飽和ポリエステル樹脂のいずれかから選択されたものであることを特徴とする温度検知用ＩＣタグ。
【請求項７】
請求項１に記載の温度検知用ＩＣタグにおいて、
アンテナは、導電性非金属体からなることを特徴とする温度検知用ＩＣタグ。
【請求項８】
アンテナと、自他を区別できる識別情報を記録した記憶装置と、前記記憶装置に記憶された前記識別情報を含む応答信号を、監視装置から発信される問合せ信号を受信したタイミングで、もしくは所定のタイミングで、前記アンテナを励振して、前記監視装置に対して発信する通信機とを有し、温度監視場所の、それぞれ条件の異なる複数の箇所に取り付けられ、所定温度に達したときの熱でその機能を停止する複数のＩＣタグと、
前記各ＩＣタグの応答信号を受信して、各ＩＣタグの配置と各ＩＣタグの動作状態との関係を表示する解析装置とを備えたことを特徴とする温度検知システム。
【発明の詳細な説明】
【技術分野】
【０００１】
本発明は、火災報知器や各種の温度監視システム等の用途に使用される温度検知用ＩＣタグと温度検知システムに関する。
【背景技術】
【０００２】
消防法で建物等に設置を義務付けられた火災検知器は、煙や熱あるいはその両方を感知する。熱感知用の温度センサには、差動式と定温式のものがある。差動式の温度センサは急激な温度上昇を感知し、定温式の温度センサは一定温度に達したときにその状態を検知する。定温式のスポット型熱感知器の感熱部には、バイメタルによる電気スイッチが使用される。バイメタルは摂氏７５度程度に設定され、その設定温度を検知するとスイッチがオンする。定温式の感知線型熱感知器は、長く張り巡らせた感知線が一定温度以上になるとその状態を検知する。この感知線は、一対の絶縁線を撚り合わせたもので、温度が上昇すると絶縁被覆が剥がれて一対の導体がスイッチのように短絡する（特許文献１参照）。
【特許文献１】特開２００１−２８３３４３号公報
【発明の開示】
【発明が解決しようとする課題】
【０００３】
ここで、従来の温度検知システムには、次のような解決すべき課題があった。
上記のような従来の温度センサは、いずれも構造が複雑で、データ伝送用の配線を必要とする。また、感知器の台数を増やそうとすると設置工事に時間と多額の費用がかかるという問題点があった。
本発明は以上の点に着目してなされたもので、データ伝送用の配線を布設する必要がなく、任意に増設したり配置を変更することができる温度検出機能を備えた温度検知用ＩＣタグと温度検知システムを提供することを目的とする。
【課題を解決するための手段】
【０００４】
本発明の各実施例においては、それぞれ次のような構成により上記の課題を解決する。
〈構成１〉
温度監視場所の任意の箇所に任意の数だけ取り付けられるものであって、所定の温度で電波発射機能を喪失するアンテナと、自他を区別できる識別情報を記録した記憶装置と、上記記憶装置に記憶された上記識別情報を含む応答信号を、監視装置から発信される問合せ信号を受信したタイミングで、もしくは所定のタイミングで、上記アンテナを励振して、上記監視装置に対して発信する通信機とを備えたことを特徴とする温度検知用ＩＣタグ。
【０００５】
複数のＩＣタグの各記憶装置には、ＩＣタグ毎に、他のＩＣタグと区別できる識別情報がそれぞれ記録されている。このＩＣタグは、例えば、建物の天井等へ、火災報知器と同様にして取り付けられる。データ通信用の通信線は不要である。電源も不要である。受信電力により充電をして応答できる。各ＩＣタグに他のＩＣタグと区別できる情報を記録しておくと、取り付け場所毎に異なる識別情報の応答が得られる。例えば、どこかで火災が発生すると、アンテナは火災発生時の熱で溶断し電波発射機能を喪失する。このとき、該当するＩＣタグからの応答電波が監視装置に届かなくなる。監視装置は問合せ信号を送信して該当するＩＣタグを検出し、火災報知をする。
【０００６】
〈構成２〉
温度監視場所の任意の箇所に任意の数だけ取り付けられるものであって、アンテナと、自他を区別できる識別情報を記録した記憶装置と、上記記憶装置に記憶された上記識別情報を含む応答信号を、監視装置から発信される問合せ信号を受信したタイミングで、もしくは所定のタイミングで、上記アンテナを励振して、上記監視装置に対して発信する通信機と、上記アンテナと上記通信機とを電気接続し、所定の温度で溶断するリード線とを備えたことを特徴とする温度検知用ＩＣタグ。
【０００７】
複数のＩＣタグの各記憶装置には、ＩＣタグ毎に、他のＩＣタグと区別できる識別情報がそれぞれ記録されている。アンテナと送信機とを接続するリード線が溶断しても、アンテナの電波発射機能を喪失させる作用がある。
【０００８】
〈構成３〉
温度監視場所の任意の箇所に任意の数だけ取り付けられるものであって、アンテナと、上記アンテナを支持し、所定の温度で溶解する裏打ちシートと、上記裏打ちシートと共に上記温度監視場所に取り付けられるものであって、自他を区別できる識別情報を記録した記憶装置と、上記記憶装置に記憶された上記識別情報を含む応答信号を、監視装置から発信される問合せ信号を受信したタイミングで、もしくは所定のタイミングで、上記アンテナを励振して、上記監視装置に対して発信する通信機とを備えたことを特徴とする温度検知用ＩＣタグ。
【０００９】
複数のＩＣタグの各記憶装置には、ＩＣタグ毎に、他のＩＣタグと区別できる識別情報がそれぞれ記録されている。アンテナを支持するように裏打ちされたシートが、高分子樹脂のようなものの場合、破壊されるとアンテナの形状が保持できない。この裏打ちシートが熱で溶解するものであれば、アンテナの電波発射機能を喪失させる作用がある。
【００１０】
〈構成４〉
温度監視場所の任意の箇所に任意の数だけ取り付けられるものであって、アンテナと、所定の温度で溶解する保護ケースと、上記保護ケースに収容されるものであって、自他を区別できる識別情報を記録した記憶装置と、上記記憶装置に記憶された上記識別情報を含む応答信号を、監視装置から発信される問合せ信号を受信したタイミングで、もしくは所定のタイミングで、上記アンテナを励振して、上記監視装置に対して発信する通信機とを備えたことを特徴とする温度検知用ＩＣタグ。
【００１１】
複数のＩＣタグの各記憶装置には、ＩＣタグ毎に、他のＩＣタグと区別できる識別情報がそれぞれ記録されている。保護ケースが破壊されると、ＩＣタグの機能が停止する。保護ケースが熱で溶解するものであれば、構成３と同様の作用がある。
【００１２】
〈構成５〉
構成１又は２に記載の温度検知用ＩＣタグにおいて、上記アンテナ又はリード線の材料は、低融点金属であることを特徴とする温度検知用ＩＣタグ。
【００１３】
この低融点金属は、ＩＣチップの熱破壊温度より低い融点を持つもので、２種、３種又はそれ以上の合金を含む。
所定温度に達したときの熱で溶断するアンテナやリード線は、それ自体が熱で溶ける材料であることが好ましい。
【００１４】
〈構成６〉
構成３又は４に記載の温度検知用ＩＣタグにおいて、上記裏打ちシート又は上記保護ケースの材料は、熱可塑性樹脂であって、酢酸セルロース、ポリエチレン（ＬＤＰＥ）、ポリエチレン（ＨＤＰＥ）、ポリエチレン（超高分子量）、ポリプロピレン、硬質ポリ塩化ビニル、ナイロン６、ポリアセタール、ポリカーボネート、ポリピロメリットイミド、ポリテトラフルオロエチレン、フェノール樹脂（ノボラック）、不飽和ポリエステル樹脂のいずれかから選択されたものであることを特徴とする温度検知用ＩＣタグ。
【００１５】
裏打ちシート又は保護ケースの材料として、比較的熱変形温度の低い熱可塑性樹脂を用いることが好ましい。
【００１６】
〈構成７〉
構成１に記載の温度検知用ＩＣタグにおいて、アンテナは、導電性非金属体からなることを特徴とする温度検知用ＩＣタグ。
【００１７】
アンテナは、導電性高分子等の導電性非金属体であれば、火災時の熱で容易に溶断し電波発射機能を喪失する。
【００１８】
〈構成８〉
アンテナと、自他を区別できる識別情報を記録した記憶装置と、上記記憶装置に記憶された上記識別情報を含む応答信号を、監視装置から発信される問合せ信号を受信したタイミングで、もしくは所定のタイミングで、上記アンテナを励振して、上記監視装置に対して発信する通信機とを有し、温度監視場所の、それぞれ条件の異なる複数の箇所に取り付けられ、所定温度に達したときの熱でその機能を停止する複数のＩＣタグと、上記各ＩＣタグの応答信号を受信して、各ＩＣタグの配置と各ＩＣタグの動作状態との関係を表示する解析装置とを備えたことを特徴とする温度検知システム。
【００１９】
複数のＩＣタグの各記憶装置には、ＩＣタグ毎に、他のＩＣタグと区別できる識別情報がそれぞれ記録されている。
部屋の天井や床や壁等の各所にＩＣタグを取り付けることにより、火災発生時の部屋の状態も検知でき、例えば、火災発生源も特定できる。屋内の多数の場所に設置したＩＣタグの状態をコンピュータに取り込んで３次元解析をすると、部屋の状態を３次元表示できる。
【発明を実施するための最良の形態】
【００２０】
以下、本発明の実施の形態を実施例毎に詳細に説明する。
【実施例１】
【００２１】
図１は、実施例１の温度検知システムを示すブロック図である。
図１に示す温度検知システムは、一般住宅、学校、集合住宅、オフィスその他、火災検知や温度監視の必要な各種施設の温度監視場所１２内に設置される。例えば、図１に示すように、温度監視場所１２内の天井や壁面に、複数のＩＣタグ１０Ａ、１０Ｂ、１０Ｃが取り付け固定されている。これらのＩＣタグ１０Ａ、１０Ｂ、１０Ｃの各々が火災等で発生する高熱の温度を検知する。この火災等の発生監視のために、各ＩＣタグから離れた適当な場所に監視装置２４が設けられている。
【００２２】
図２は、図１に示したＩＣタグの説明図である。
ＩＣタグ１０の構造は、図２に示すように、ＩＣチップ１６とアンテナ１４とをリード線３０で接続した構成になっている。
アンテナ１４あるいはリード線３０は、火災等で受ける所定の温度で溶断することにより、電波発射機能を喪失するように構成されている。
【００２３】
アンテナ１４は、所定の温度で電波発射機能を喪失するものであるが、銅、アルミニウム、銀、金等の導電性と機械的強度に優れた金属又は合金により、コイル状、平板形状等、電波の送受信に優れた形状に形成されている。また、アンテナ１４あるいはリード線３０は、導電性を有するものであれば、導電性高分子、導電性セラミック等非金属により構成されてもよい。
【００２４】
ＩＣタグ１０は、図２の下方に示されたように、通信機２８と記憶装置２０とを備えている。通信機２８にはアンテナ１４に接続された受信部３１と送信部３２とが設けられている。記憶装置２０には、他のＩＣタグと区別できる識別情報１８が記憶されている。ＩＣタグ１０は、データ通信用の通信線や電源は不要であり、受信電力により充電をして応答できる。
【００２５】
図１に示すように、温度監視場所１２内の各所に取り付けられたＩＣタグ１０Ａ、１０Ｂ、１０Ｃに対して、監視装置２４が定期的に問合せ信号２６を送信すると、各ＩＣタグ１０Ａ、１０Ｂ、１０Ｃは、それぞれ固有の識別情報１８を含む応答信号２２を監視装置２４に対して送信する。すなわち、通信機２８は、識別情報１８を含む応答信号２２を、監視装置２４から発信される問合せ信号２６を受信したタイミングで、もしくは所定のタイミングで、アンテナ１４を励振して、監視装置２４に対して発信する。
【００２６】
例えば、どこかで火災が発生すると、アンテナ１４が火災発生時の熱で溶断し電波発射機能を喪失する。従って、該当するＩＣタグからの応答電波が監視装置に届かなくなる。監視装置２４は問合せ信号を送信して、該当するＩＣタグを検出し、火災報知をする。すなわち、取り付けられた全てのＩＣタグのうち、少なくとも１つのＩＣタグからの応答信号２２が途絶えたとき、当該ＩＣタグがその付近で火災等が起きて熱で電波発射機能を喪失してしまったものと判断することができる。
【００２７】
図３の（ａ）〜（ｄ）は、それぞれＩＣタグの変形例を示す。
図３（ａ）に示すＩＣタグは、ＩＣチップ１６に対して、熱で溶断し易いアンテナ１４を接続したものである。このアンテナ１４は、例えば、導電性高分子等の導電性非金属体あるいは低融点金属により構成される。
【００２８】
図３（ｂ）に示すＩＣタグは、すでに説明したように、ＩＣチップ１６とアンテナ１４とを熱で溶断し易いリード線３０で接続したものである。リード線３０は所定温度に達したときの熱で溶断する低融点金属により構成される。
【００２９】
また、図３（ｃ）に示すＩＣタグは、ＩＣチップ１６とアンテナ１４とを支持する裏打ちシート３３を熱で溶融し易いシート等により構成したものである。この裏打ちされたシート３３が、高分子樹脂のようなものの場合、熱で溶解されるとアンテナ１４の形状を保持できなくなり、ＩＣタグ１０の送発信機能を停止させる。
【００３０】
さらに、図３（ｄ）に示すＩＣタグは、ＩＣチップ１６とアンテナ１４とを熱で溶融し易い保護ケース３４に収納したものである。保護ケース３４が熱で溶解されるとＩＣタグ１０の送発信機能が停止する。
【００３１】
裏打ちシート３３あるいは保護ケース３４の材料としては、熱変形温度が比較的低い、酢酸セルロース、ポリエチレン（ＬＤＰＥ）、ポリエチレン（ＨＤＰＥ）、ポリエチレン（超高分子量）、ポリプロピレン、硬質ポリ塩化ビニル、ナイロン６、ポリアセタール、ポリカーボネート、ポリピロメリットイミド、ポリテトラフルオロエチレン、フェノール樹脂（ノボラック）、不飽和ポリエステル樹脂のいずれかから選択されることが好ましい。しかし、これら以外の樹脂でもかまわない。
【００３２】
本発明は、上記したＩＣタグを用いて構成された温度検知システムを含む。屋内の多数の場所に設置したＩＣタグ１０の状態をコンピュータに取り込んで３次元解析をすると、部屋の状態を３次元表示できる。この具体例を、以下、図４と図５により説明する。
【００３３】
図４は、図１に示した監視装置２４の具体例を示すブロック図である。
図４において、監視装置２４は、送信部４０と問合せ信号生成部４２と受信部４４と記憶装置４６と解析装置４８を備える。送信部４０は問合せ信号生成部４２で生成した問合せ信号２６をアンテナ４１を利用して送信する機能を持つ。記憶装置４６には、施設に取り付けられた全てのＩＣタグの識別情報がデータベースとして記憶されている。
【００３４】
問合せ信号生成部４２はデータベースから順番に各識別情報を読み出して問合せ信号２６に含める。各ＩＣタグはこの問合せ信号２６を受信して、その識別情報と自己の記憶装置に記憶した識別情報が一致するときに、応答信号２２を、監視装置２４に向けて送信する。受信部４４はこれを受信し、解析装置４８において、監視装置２４は全てのＩＣタグについて、応答信号２２を受信したかどうかの判定をする。
【００３５】
図５は、図４に示した解析装置４８の具体的な動作を説明するブロック図である。
図５において、ディスプレイ５２は、解析処理を実行するパーソナルコンピュータ等であり、解析処理した結果を画像で表示するものである。記憶装置５１には受信部４４で受信した識別情報から、どのＩＣタグが動作しているかどうかを示す情報テーブルが記憶される。この情報テーブルは、設置場所５８と動作状態情報６０と温度情報６２との関係を示すものである。
【００３６】
解析装置４８は、上記の情報テーブルを生成すると共に、その結果を分かり易く図解表示する機能を持つ。具体的には、図５に示すように、建物の各階毎の温度分布を示す解析結果５６を表示する。そして、その中に、建物の各階の部屋の縦断面図６４や平面図６６を表示し、各図に対応する温度分布図６８、６８をそれぞれ表示する（図５には２階を表示している。）。温度分布図６８、６８の横軸は各階の部屋の長さ、縦軸は同部屋の温度をそれぞれ示している。
【００３７】
各階毎の縦断面図６４や平面図６６に対応する温度分布図６８、７０を見れば、温度上昇の異常な場所が容易に検知できる。これで、建物全体の温度管理ができる。もちろん、一定の閾値を設けておいて、温度がその閾値を超えたときは警報を発するようにしてもよい。
【００３８】
施設の各所に同一の温度で送信を停止するＩＣタグを配置すると、施設の各部でその動作停止温度を超えたかどうかの監視ができる。また、同じ箇所にそれぞれ動作停止温度の異なるＩＣタグをいくつか固定しておけば、動作停止時刻と温度の関係から、その場所の温度上昇速度がわかる。これは、火事の火元発見に役立つ。
【図面の簡単な説明】
【００３９】
【図１】実施例１の温度検知システムを示すブロック図である。
【図２】実施例１で使用するＩＣタグの説明図である。
【図３】本発明に係わるＩＣタグの変形例を示す図で、（ａ）は熱で溶断し易いアンテナを有するＩＣタグを示す説明図、（ｂ）はＩＣチップとアンテナとを熱で溶断し易いリード線で接続したＩＣタグを示す説明図、（ｃ）は、ＩＣチップとアンテナとを支持する裏打ちシートを熱で溶融し易いシート等により構成したＩＣタグを示す説明図、（ｄ）は、ＩＣチップとアンテナとを熱で溶融し易い保護ケースに収納したＩＣタグを示す説明図である。
【図４】本発明に係わる監視装置の具体例を示すブロック図である。
【図５】図４に示す解析装置の具体的な動作を説明するブロック図である。
【符号の説明】
【００４０】
１０、１０Ａ、１０Ｂ、１０Ｃ  ＩＣタグ
１２  温度監視場所
１４  アンテナ
１６  ＩＣチップ
１８  識別情報
２０  記憶装置
２２  応答信号
２４  監視装置
２６  問合せ信号
２８  通信機
３０  リード線
３１  受信部
３２  送信部
【図１】
2006004027.tif 000003
【図２】
2006004027.tif 000004
【図３】
2006004027.tif 000005
【図４】
2006004027.tif 000006
【図５】
2006004027.tif 000007